(57)【要約】【課題】コネクタ部品の不正な付け替えによる景品球の不正な払出しを防止すると共に、遊技制御基板の交換時における誤作業を防止することができる遊技機を提供する。【解決手段】カード式の遊技機において、カードユニットからの信号を中継するカードユニット接続基板５を設け、このカードユニット接続基板５と払出制御基板４をそれぞれ独立してケース１１、１０内に収納すると共に、払出制御基板ケース１０に装着したコネクタ部２３ｃ〜２３ｇの上部をカードユニット接続基板ケース１１によって覆い隠すことにより、遊技制御基板を新しい基板に交換する際、払出制御基板４側に装着されたコネクタを誤って取り外し、古い遊技制御基板側にコネクタが接続されたまま交換してしまうといった誤作業を防止するができる。【選択図】　　　図７
2004081320.tif 000002
【特許請求の範囲】
【請求項１】
複数の制御基板を設けた遊技機において、第１の基板ケースに装着したコネクタ部を、第２の基板ケースによって覆ったことを特徴とする遊技機。
【請求項２】
カード挿入口が設けられた遊技球貸出機が遊技機本体に隣接するように設けられ、このカード挿入口にプリペイドカードを挿入し、遊技機本体の前面に設けられた遊技球貸出スイッチを操作することにより、カードユニットを介して払出制御基板から賞球払出装置に信号が出力され、打球が払出されるように構成された遊技機において、前記カードユニットからの信号を中継するカードユニット接続基板を設け、このカードユニット接続基板と前記払出制御基板をそれぞれ独立してケース内に収納すると共に、当該払出制御基板ケースに装着したコネクタ部を前記カードユニット接続基板ケースによって覆ったことを特徴とする遊技機。
【請求項３】
前記払出制御基板とカードユニット接続基板を接続するハーネスを、前記カードユニット接続基板ケース内に収納した請求項２に記載の遊技機。
【請求項４】
前記払出制御基板ケースとカードユニット接続基板ケースの間に、前記コネクタ部に接続されたコネクタ付きハーネスを通すための隙間または切欠きが形成されている請求項２または３に記載の遊技機。
【請求項５】
前記払出制御基板ケースが上下２つのケースからなり、下ケースの一側に形成された一対のフックに上ケースの裾部を係合させてヒンジ部を構成し、当該上ケースを下ケースに対して開閉自在とした請求項２乃至４いずれかに記載の遊技機。
【請求項６】
前記カードユニット接続基板ケースを、前記カードユニット接続基板を収納する本体部と、この本体部と連通する遮蔽部とからなるＬ字状の箱型に形成し、前記払出制御基板ケースの側壁に嵌着すると共に、前記遮蔽部で前記払出制御基板ケースのコネクタ部の上部を覆った請求項２乃至５いずれかに記載の遊技機。
【発明の詳細な説明】
【０００１】
【発明の属する技術分野】
本発明は、パチンコ店に設置されるパチンコ機やパチスロ機の遊技機、特に、プリペイドカードを挿入し球貸出スイッチを操作することにより遊技球が払出される遊技機に関する。
【０００２】
【従来の技術】
カード式の遊技機は、遊技機本体に隣接するように球貸出機が設けられ、この球貸出機に遊技者がプリペイドカードを挿入し、打球供給皿の前面に設けられた球貸出スイッチを操作することにより、賞球払出装置が作動し、金額に応じた個数の遊技球が打球供給皿に払出されるように構成されている。
【０００３】
一方、入賞口を通過したパチンコ球、あるいはその通過数を検出する検出スイッチからの入賞検出信号に基き、賞球払出装置から所定個数の賞球が払出され、そして、入賞口への入賞が検出スイッチによって検出される度に、賞球の払出し処理が繰返し行われる訳であるが、この検出スイッチからの入賞検出信号を記憶する記憶手段等を備えた払出制御部が設けられている。この払出制御部は、賞球払出制御基板、カードユニット接続基板、払出計数ユニット基板等、幾つかの制御基板で構成されている。
【０００４】
こうしたパチンコ機等の遊技機の制御基板には、通常、ＣＰＵと共に、遊技制御ＲＯＭ、ＲＡＭ、インターフェース回路等が実装され、周知のように、特別遊技状態（大当たり）を発生させる確率や条件、連続発生回数等を制御するプログラムが書き込まれている。この遊技制御ＲＯＭ等が不正に交換された場合、特別遊技状態を発生させる確率が大きく変わり、不正に景品球が払い出されるという問題が生じる。
【０００５】
このため、例えば、賞球払出制御基板やカードユニット接続基板は、通常、ケース状のカバー体と取付台板からなる基板収納ケース内に収納され、製品の出荷時に、カバー体と取付台板間に封印紙を貼着したり、破断しない限り開放できないようにかしめたりすることにより、基板収納ケースが不正に開かれることを防止している。
【０００６】
【発明が解決しようとする課題】
しかしながら、従来のこの種の制御基板ケースは、制御基板自体を収納しカバーしているものの、制御基板の端部に配設されたコネクタ部およびこれに接続されるコネクタがカバー体から露出しているため、コネクタ自体が特殊な回路を含む不正なコネクタ部品と取り替えられ、不正に景品球が払出される問題があった。
【０００７】
また、この種の遊技機の場合、遊技制御基板を適宜交換することにより異なる遊技内容を実施することが可能となっているが、賞球払出制御基板やカードユニット接続基板の端部に配設されたコネクタ部およびこれに接続されるコネクタがカバー体から露出しているため、遊技制御基板を新しい基板に交換する際、払出制御基板側のコネクタを誤って外し、古い遊技制御基板側にコネクタが接続されたまま交換してしまう恐れがある。これではコネクタを含むハーネス自体を紛失したのと同じ状態となり、交換作業を一旦中断して別途このハーネス等を手配しなければならず、遊技制御基板の交換作業に多大な時間がかかるといった問題があった。
【０００８】
本発明は、このような事情に鑑みてなされたもので、コネクタ部品の不正な付け替えによる景品球の不正な払出しを防止すると共に、遊技制御基板の交換時における誤作業を防止することができる遊技機を提供することを目的としている。
【０００９】
【課題を解決するための手段】
係る目的を達成すべく、本発明のうち請求項１記載の発明は、複数の制御基板を設けた遊技機において、第１の基板ケースに装着したコネクタ部を、第２の基板ケースによって覆うという構成を採用した。このように、コネクタ部に装着したコネクタを取り外すことができなくなり、これにより遊技制御基板を改ざんしたり、あるいは交換による不正を確実に防止することができる。
【００１０】
また、本発明のうち請求項２記載の発明は、カード挿入口が設けられた遊技球貸出機が遊技機本体に隣接するように設けられ、このカード挿入口にプリペイドカードを挿入し、遊技機本体の前面に設けられた遊技球貸出スイッチを操作することにより、カードユニットを介して払出制御基板から賞球払出装置に信号が出力され、打球が払出されるように構成された遊技機において、前記カードユニットからの信号を中継するカードユニット接続基板を設け、このカードユニット接続基板と前記払出制御基板をそれぞれ独立してケース内に収納すると共に、当該払出制御基板ケースに装着したコネクタ部を前記カードユニット接続基板ケースによって覆うという構成を採用した。
【００１１】
このように、カードユニット接続基板と払出制御基板をそれぞれ独立したケースで保護すると共に、払出制御基板ケースのコネクタ部をカードユニット接続基板ケースによって覆い隠すようにしたので、コネクタ部に装着したコネクタを取り外すことができなくなり、これにより遊技制御基板を改ざんしたり、あるいは交換による不正を確実に防止することができる。さらには、遊技制御基板を新しい基板に交換する際、払出制御基板側に装着されたコネクタを誤って取り外し、古い遊技制御基板側にコネクタが接続されたまま交換してしまうといった誤作業を防止することもできる。
【００１２】
また、請求項３に記載の発明は、前記払出制御基板とカードユニット接続基板を接続するハーネスを、前記カードユニット接続基板ケース内に収納した。これによりハーネスは露出することなくカードユニット接続基板ケースによって保護され、遊技制御基板等を交換する際にハーネスが引っ掛って断線するようなトラブルを大幅に減少することができる。
【００１３】
また、請求項４に記載の発明のように、前記払出制御基板ケースとカードユニット接続基板ケースの間に、前記コネクタ部に接続されたコネクタ付きハーネスを通すための隙間または切欠きが形成されていれば、カードユニット接続基板ケースにハーネスが干渉するようなことはなく、両ケースを容易に嵌着することができ、組立作業性が向上する。
【００１４】
好ましくは、請求項５に記載の発明のように、前記払出制御基板ケースが上下２つのケースからなり、下ケースの一側に形成された一対のフックに上ケースの裾部を係合させてヒンジ部を構成し、当該上ケースを下ケースに対して開閉自在とすれば、両ケースを締結する固定ねじの数を最小限にすることができ、組立作業性を向上させることができる。
【００１５】
また、請求項６に記載の発明のように、前記カードユニット接続基板ケースを、前記カードユニット接続基板を収納する本体部と、この本体部と連通する遮蔽部とからなるＬ字状の箱型に形成し、前記払出制御基板ケースの側壁に嵌着すると共に、前記遮蔽部で前記払出制御基板ケースのコネクタ部の上部を覆ったので、払出制御基板ケースに対するカードユニット接続基板ケースの位置決めが容易となり、組立作業性が向上すると共に、充分な空間容積を有する遮蔽部内にコネクタ付きハーネスを収容することができる。したがって、この遮蔽部がハーネス保護とコネクタ取り外し防止という２つの機能を併せ持つことになり、狭いスペースを有効に活用することができる。
【００１６】
【発明の実施の形態】
以下、本発明の実施の形態を図面に基づいて詳細に説明する。図１は、本発明に係る遊技機の実施形態を示す背面図である。図は賞球払出装置を示し、払出球貯留部１と払出機構部２と払出球経路部３とで構成されている。遊技球は、図示しない付帯設備から払出球貯留部１を構成する遊技球タンク１ａへ供給され、さらに遊技球は遊技球タンク１ａから遊技球タンクレール１ｂを通って払出機構部２へと誘導され貯留される。貯留された遊技球は、払出球経路部３を経由して図示しない集合樋にて払出球が集合される。
【００１７】
一方、払出機構部２を作動させる制御基板は、払出制御基板４、カードユニット接続基板５、払出球計数ユニット基板６等を備えている。７は集合樋中継基板、８は主基板、９は電源ユニット基板である。払出制御基板４とカードユニット接続基板５は、払出制御基板ケース１０とカードユニット接続基板ケース１１内にそれぞれ収納され保護されている。これらのケースは透明な合成樹脂により矩形の箱型に形成されている。
【００１８】
払出制御基板４を収納し、第１の基板ケースである払出制御基板ケース１０は上下２つのケースからなる。図２は下ケース１２を示し、（ａ）は平面図、（ｂ）はその側面図である。この下ケース１２は対向する端面に突出片１３を有し、下ケース１２をスライドさせて挿入することにより図示しない取付台の凹所に係止される。この下ケース１２の一側には一対のフック１４が形成されており、後述する上ケース１８の裾部１９に係合しヒンジ部２０を構成する。このヒンジ部２０を介して上ケース１８は開閉自在に連結されている。フック１４と対向する側には固定ねじ（図示せず）をねじ込むための固定孔１５が穿設されている。このように、本実施形態では、下ケース１２に対して上ケース１８を開閉自在としているため、両ケースを締結する固定ねじの数を最小限にすることができ、組立作業性を向上させることができる。１６は後述する払出制御基板４を載置するための支持片で、側壁１７の内側に沿って複数箇所に突設されている。
【００１９】
図３は上ケース１８の平面図、図４は側面図、図５は正面図を示している。この上ケース１８の一側には裾部１９ａ、１９ｂが形成され、下ケース１２のフック１４に係合してヒンジ部２０を構成している。この裾部１９と対向する側には固定ねじ（図示せず）をねじ込むための固定孔２１が穿設されている。また、側壁２２に沿って複数のコネクタ部が装着されている。これらコネクタ部のうちコネクタ部２３ａ、２３ｂは、情報線として図示しない外部接続端子基板と度数表示基板にそれぞれ接続されるコネクタ付きハーネス（図示せず）が着脱自在に装着されている。なお、コネクタ部２３ｂは度数表示基板の検出線としてのハーネスも含む。コネクタ部２３ｃ、２３ｅおよび２３ｇは後述するカードユニット接続基板５に接続され、コネクタ部２３ｄは制御線として主基板８に接続されている。コネクタ部２３ｉはＡＣ２４Ｖ電源を電源ユニット基板９へ伝送する中継をなし、電源ユニット基板９にてＤＣ変換された電源はコネクタ部２３ｆに接続され戻される。コネクタ部２３ｈは電源線でフィルタ基板（図示せず）から接続されている。２４はエラーを解除するためのスイッチで、２５は後述するカードユニット接続基板ケース１１を固定する固定ねじ（図示せず）をねじ込むための固定孔である。
【００２０】
上ケース１８上には払出制御基板４が載置され、この払出制御基板４を介してカードユニット接続基板ケース１１が固定される。払出制御基板４には、ＣＰＵをはじめとして、遊技用ＲＯＭ、ＲＡＭ、インターフェース回路等が実装されている。
【００２１】
カードユニット接続基板５を収納し、第２の基板ケースとなるカードユニット接続基板ケース１１は、前述した払出制御基板ケース１０上に嵌着されている。図６はこのカードユニット接続基板ケース１１を示し、（ａ）は平面図、（ｂ）は正面図である。カードユニット接続基板ケース１１は前述した払出制御基板ケース１０と同様、透明な合成樹脂により矩形の箱型に形成されている。
【００２２】
カードユニット接続基板ケース１１は、払出制御基板ケース１０の突出した側壁２２ａに嵌着するようにＬ字状をなしている。そして、このカードユニット接続基板ケース１１にはカードユニット接続基板５が収納され、２つのコネクタ部２８ａ、２８ｂが装着された本体部２６と、前述した払出制御基板ケース１０のコネクタ部２３ｃ〜２３ｇの上部を覆う遮蔽部２７とに分かれている。このように、カードユニット接続基板ケース１１がＬ字状をなす箱型に形成されているため、払出制御基板ケース１０に対するカードユニット接続基板ケース１１の位置決めが容易となり、組立作業性が向上する。
【００２３】
また、充分な空間容積を有する遮蔽部２７内にコネクタ付きハーネスを収容することができるので、この遮蔽部２７がハーネス保護とコネクタ取り外し防止という２つの機能を併せ持つことになり、狭いスペースを有効に活用することができる。
【００２４】
２９は固定ねじ（図示せず）を挿入するための円孔で、前述した払出制御基板ケース４の固定孔２５に対応して穿設されている。なお、本体部２６の一側には図示しないプリペイドカードユニットに接続されるケーブルの端子が装着されている。
【００２５】
図７は払出制御基板ケース１０とカードユニット接続基板ケース１１の取付状態を示す側面図である。払出制御基板ケース１０の上ケース１８に装着された複数のコネクタ部のうちコネクタ部２３ｃ、２３ｅ、および２３ｇは、カードユニット接続基板ケース１１の本体部２６に収容されたコネクタ部２８ａ、２８ｂに接続されている。すなわち、コネクタ部２３ｃとコネクタ部２８ａは、ハーネスＡで接続されている。一方、コネクタ部２３ｅからのハーネスＢとコネクタ部２３ｇからのハーネスＣが合流した状態でコネクタ部２８ｂに接続されている。したがって、ハーネスＡ、Ｂは露出することなくカードユニット接続基板ケース１１の遮蔽部２７によって保護されており、遊技制御基板等を交換する際にハーネスＡ、Ｂが引っ掛って断線するようなトラブルを大幅に減少することができる。
【００２６】
また、他のコネクタ部２３ｄ、２３ｆ、２３ｈからコネクタ（図示せず）を介して接続されたハーネスＤ、Ｅ、Ｆは、払出制御基板ケース１０の上ケース１８とカードユニット接続基板ケース１１の遮蔽部２７との間に形成されている空間領域（隙間）を通して主基板８、電源ユニット基板９、フィルタ基板にそれぞれ接続されている。なお、上ケース１８と遮蔽部２７との間に形成されている隙間に変え、遮蔽部２７の側壁に切欠きを形成し、この切欠きにハーネスを通すようにしても良い。
【００２７】
本来的に払出制御基板４は交換されることはないため、この払出制御基板ケース１０に装着されたコネクタを取り外すことはない。したがって、前述したようにコネクタ部２３ｃ、２３ｄ、２３ｆ、２３ｇの上部をカードユニット接続基板ケース１１の遮蔽部２７で覆い隠すことにより、それぞれのコネクタ部２３ｃ、２３ｄ、２３ｆ、２３ｇに装着したコネクタを取り外すことができなくなり、これにより遊技制御基板を改ざんしたり、あるいは交換による不正を確実に防止することができる。
【００２８】
さらには、遊技制御基板を新しい基板に交換する際、払出制御基板４側に装着されたコネクタを誤って取り外し、古い遊技制御基板側にコネクタが接続されたまま交換してしまうといった誤作業を防止することもできる。
【００２９】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【００３０】
【発明の効果】
以上詳述したように、本発明に係る遊技機にあっては、複数の制御基板を設けた遊技機において、第１の基板ケースに装着したコネクタ部を、第２の基板ケースによって覆う構成、すなわち、カード挿入口が設けられた遊技球貸出機が遊技機本体に隣接するように設けられ、このカード挿入口にプリペイドカードを挿入し、遊技機本体の前面に設けられた遊技球貸出スイッチを操作することにより、カードユニットを介して払出制御基板から賞球払出装置に信号が出力され、打球が払出されるように構成された遊技機において、前記カードユニットからの信号を中継するカードユニット接続基板を設け、このカードユニット接続基板と前記払出制御基板をそれぞれ独立してケース内に収納すると共に、当該払出制御基板ケースに装着したコネクタ部の上部を前記カードユニット接続基板ケースによって覆う構成を採用したので、コネクタ部に装着したコネクタを取り外すことができなくなり、これにより遊技制御基板を改ざんしたり、あるいは交換による不正を確実に防止することができる。さらには、遊技制御基板を新しい基板に交換する際、払出制御基板側に装着されたコネクタを誤って取り外し、古い遊技制御基板側にコネクタが接続されたまま交換してしまうといった誤作業を防止することもできる。
【図面の簡単な説明】
【図１】本発明に係る遊技機の実施形態を示す背面図である。
【図２】（ａ）は、本発明に係る払出制御ケースにおける下ケースの実施形態を示す平面図である。
（ｂ）は、同上側面図である。
【図３】本発明に係る払出制御ケースにおける上ケースの実施形態を示す平面図である。
【図４】同上、側面図である。
【図５】同上、正面図である。
【図６】（ａ）は、本発明に係るカードユニット接続基板ケースの実施形態を示す平面図である。
（ｂ）は、同上正面図である。
【図７】払出制御基板ケースとカードユニット接続基板ケースの取付状態を示す側面図である。
【符号の説明】
１・・・・・・・・・・・・・・・・・・払出球貯留部
１ａ・・・・・・・・・・・・・・・・・遊技球タンク
１ｂ・・・・・・・・・・・・・・・・・遊技球タンクレール
２・・・・・・・・・・・・・・・・・・払出機構部
３・・・・・・・・・・・・・・・・・・払出球経路部
４・・・・・・・・・・・・・・・・・・払出制御基板
５・・・・・・・・・・・・・・・・・・カードユニット接続基板
６・・・・・・・・・・・・・・・・・・払出球計数ユニット基板
７・・・・・・・・・・・・・・・・・・集合樋中継基板
８・・・・・・・・・・・・・・・・・・主基板
９・・・・・・・・・・・・・・・・・・電源ユニット基板
１０・・・・・・・・・・・・・・・・・払出制御基板ケース
１１・・・・・・・・・・・・・・・・・カードユニット接続基板ケース
１２・・・・・・・・・・・・・・・・・下ケース
１３・・・・・・・・・・・・・・・・・突出片
１４・・・・・・・・・・・・・・・・・フック
１５、２１、２５・・・・・・・・・・・固定孔
１６・・・・・・・・・・・・・・・・・支持片
１７、２２、２２ａ・・・・・・・・・・側壁
１８・・・・・・・・・・・・・・・・・上ケース
１９、１９ａ、１９ｂ・・・・・・・・・裾部
２０・・・・・・・・・・・・・・・・・ヒンジ部
２３ａ〜２３ｉ・・・・・・・・・・・・コネクタ部
２４・・・・・・・・・・・・・・・・・エラー解除スイッチ
２６・・・・・・・・・・・・・・・・・本体部
２７・・・・・・・・・・・・・・・・・遮蔽部
２８ａ、２８ｂ・・・・・・・・・・・・コネクタ部
２９・・・・・・・・・・・・・・・・・円孔
Ａ、Ｂ、Ｃ、Ｄ、Ｅ、Ｆ・・・・・・・・ハーネス
【図１】
2004081320.tif 000003
【図２】
2004081320.tif 000004
【図３】
2004081320.tif 000005
【図４】
2004081320.tif 000006
【図５】
2004081320.tif 000007
【図６】
2004081320.tif 000008
【図７】
2004081320.tif 000009